(57)【要約】【課題】  釣糸の強度を極力維持したまま、釣糸の径を細くし、釣糸の柔軟性を向上させた釣糸を提供する。【解決手段】  釣糸１は、繊維からなる芯線５ａと、その芯線５ａの外周に巻回された１層の側線とを備え、側線は、繊維（５ｂ、５ｃ、５ｄ、５ｅ、５ｆ）と金属素線３とから構成されている。【選択図】  図１
2018105107.tif 000002
【特許請求の範囲】
【請求項１】
繊維からなる芯線と、
その芯線の外周に巻回された１層の側線とを備え、
前記側線は、繊維と金属素線とから構成されていることを特徴とする釣糸。
【請求項２】
前記側線の前記金属素線の外径は、前記側線の前記繊維の外径よりも大きいことを特徴とする請求項１に記載の釣糸。
【請求項３】
前記側線の前記金属素線の外径は、前記側線の前記繊維の外径よりも小さいことを特徴とする請求項１に記載の釣糸。
【請求項４】
前記側線の前記金属素線の外径は、前記側線の前記繊維の外径と略同一であることを特徴とする請求項１に記載の釣糸。
【請求項５】
前記側線は、断面視において、前記金属素線が一方に偏位していることを特徴とする請求項１乃至請求項４の何れかに記載の釣糸。
【請求項６】
前記金属素線を１本としたことを特徴とする請求項５に記載の釣糸。
【請求項７】
前記側線は、前記繊維と前記金属素線とが断面全体に同一数交互に配置されていることを特徴とする請求項１乃至請求項４の何れかに記載の釣糸。
【発明の詳細な説明】
【技術分野】
【０００１】
本発明は、釣糸に関する。
【背景技術】
【０００２】
従来、柔軟性と強度とを両立させる目的で、合成繊維と、金属線とからなる釣糸が開発されてきた。【０００３】
例えば、特許文献１には、合成繊維からなる芯糸３と、その芯糸３の周りに配置された６本の金属線４と、その金属線４の外側に配置された合成繊維からなる４つの鞘部５とを備えた釣糸６が記載されている（図２等参照）。
【先行技術文献】
【特許文献】
【０００４】
【特許文献１】特開２００８−２８３９３３号公報
【発明の概要】
【発明が解決しようとする課題】
【０００５】
しかしながら、引用文献１に記載されている釣糸は、合成繊維からなる芯線の周りに複数の金属素線を配置し、その金属素線の周りに合成繊維からなる鞘部を配置している為、釣糸の外径が太くなり、柔軟性も損なわれるという問題があった。【０００６】
釣糸の外径が太くなった場合には、川の流れ等による抵抗力が大きくなり、釣り人が魚を釣る際に釣竿から感じる感覚が鈍くなると共に、魚が釣糸に気付き易くなるという問題がある。【０００７】
また、釣糸の柔軟性が損なわれた場合には、釣り人が魚を釣る際に釣竿から感じる感覚がさらに鈍くなるという問題がある。【０００８】
さらに、釣糸については、一般に、釣糸の耐久性、合成繊維と金属素線との密着性及び釣糸を水中から引き上げたときの水切れの良好性についても考慮する必要がある。【０００９】
本発明は、かかる問題点に鑑みてなされたものであり、釣糸の強度を極力維持したまま、釣糸の径を細くし、釣糸の柔軟性を向上させた釣糸、その上で、釣糸の耐久性を向上させた釣糸、合成繊維と金属素線との密着性を向上させた釣糸、または、釣糸を水中から引き上げたときの水切れの良好性を向上させた釣糸を提供することを目的とする。
【課題を解決するための手段】
【００１０】
かかる目的を達成するために、態様１の発明は、繊維からなる芯線と、その芯線の外周に巻回された１層の側線とを備え、前記側線は、繊維と金属素線とから構成されていることを特徴とする。【００１１】
また、態様２の発明は、態様１の発明において、前記側線の前記金属素線の外径は、前記側線の前記繊維の外径よりも大きいことを特徴とする。【００１２】
また、態様３の発明は、態様１の発明において、前記側線の前記金属素線の外径は、前記側線の前記繊維の外径よりも小さいことを特徴とする。【００１３】
また、態様４の発明は、態様１の発明において、前記側線の前記金属素線の外径は、前記側線の前記繊維の外径と略同一であることを特徴とする。【００１４】
また、態様５の発明は、態様１乃至態様４の発明の何れかにおいて、前記側線は、断面視において、前記金属素線が一方に偏位していることを特徴とする。【００１５】
また、態様６の発明は、態様５の発明において、前記金属素線を１本としたことを特徴とする。【００１６】
さらに、態様７の発明は、態様１乃至態様４の発明の何れかにおいて、前記側線は、前記繊維と前記金属素線とが断面全体に同一数交互に配置されていることを特徴とする。
【発明の効果】
【００１７】
態様１の発明に係る釣糸は、繊維からなる芯線と、その芯線の外周に巻回された１層の側線とを備え、側線は、繊維と金属素線とから構成されているので、釣糸の強度を極力維持したまま、釣糸の径を細くし、釣糸の柔軟性を向上させることができる。【００１８】
また、態様２の発明に係る釣糸は、態様１の発明に係る釣糸において、側線の金属素線の外径が、側線の繊維の外径よりも大きいので、態様１の発明の効果に加え、釣糸の耐久性を向上させることができる。【００１９】
また、態様３の発明に係る釣糸は、態様１の発明に係る釣糸において、側線の金属素線の外径が、側線の繊維の外径よりも小さいので、態様１の発明の効果に加え、合成繊維と金属素線との密着性を向上させることができる。【００２０】
また、態様４の発明に係る釣糸は、態様１の発明に係る釣糸において、側線の金属素線の外径が、側線の繊維の外径と略同一であるので、態様１の発明の効果に加え、釣糸を水中から引き上げたときの水切れの良好性を向上させることができる。【００２１】
また、態様５の発明に係る釣糸は、態様１乃至態様４の発明の何れかに係る釣糸において、側線は、断面視において、金属素線が一方に偏位しているので、態様１乃至態様４の発明の何れかの効果に加え、釣糸自体を適度に湾曲させて、釣糸を魚に気付き難くさせることができる。【００２２】
また、態様６の発明に係る釣糸は、態様５の発明に係る釣糸において、金属素線を１本としたので、態様５の発明の効果に加え、釣糸の強度を極力維持したまま、釣糸の径をさらに細くし、釣糸の柔軟性をさらに向上させることができる。【００２３】
さらに、態様７の発明に係る釣糸は、態様１乃至態様４の発明の何れかに係る釣糸において、側線は、繊維と金属素線とが断面全体に同一数交互に配置されているので、態様１乃至態様４の発明の何れかの効果に加え、釣糸自体を極力真っ直ぐにして、釣糸を水中から引き上げたときの水切れの良好性をさらに向上させることができる。
【図面の簡単な説明】
【００２４】
【図１】本発明の第１実施形態の釣糸の断面図である。
【図２】第１実施形態の釣糸から樹脂を除去した状態の一部を示す斜視図である。
【図３】本発明の第２実施形態の釣糸の断面図である。
【図４】第２実施形態の釣糸から樹脂を除去した状態の一部を示す斜視図である。
【図５】本発明の第３実施形態の釣糸の断面図である。
【図６】第３実施形態の釣糸から樹脂を除去した状態の一部を示す斜視図である。
【図７】本発明の第４実施形態の釣糸の断面図である。
【図８】第４実施形態の釣糸から樹脂を除去した状態の一部を示す斜視図である。
【図９】本発明の第５実施形態の釣糸の断面図である。
【図１０】第５実施形態の釣糸から樹脂を除去した状態の一部を示す斜視図である。
【図１１】本発明の第６実施形態の釣糸の断面図である。
【図１２】本発明の第７実施形態の釣糸の断面図である。
【図１３】本発明の第８実施形態の釣糸の断面図である。
【００２５】
以下、本発明の釣糸について、図面を参照して説明する。【００２６】
＜第１実施形態＞
先ず、第１実施形態の釣糸１について説明する。なお、本実施形態及びこれ以降の実施形態の釣糸においては、釣糸の外径が２０μｍ〜１００μｍであって、従来に無い細さを実現している。【００２７】
また、本実施形態及びこれ以降の実施形態の釣糸は、どんな魚にも使用することが可能であるが、特に、鮎つりに好適な釣糸であって、鮎の習性を利用して開発されたものである。【００２８】
図１は、本発明の第１実施形態の釣糸の断面図であり、図２は、第１実施形態の釣糸から樹脂を除去した状態の一部を示す斜視図である。【００２９】
図１及び図２では、理解を容易にするため、釣糸を模式的に図示しているため、寸法比は実際とは異なる。【００３０】
図１及び図２において、釣糸１は、繊維からなる芯線５ａと、その芯線５ａの外周に螺旋状に巻回された繊維５ｂ〜５ｆと金属素線３とから構成された１層の側線と、芯線５ａと側線とを被覆する樹脂７とを備える。【００３１】
なお、本実施形態及びその後の実施形態における「側線」とは、断面視において、芯線の全外周を覆う１層目の素線群を意味する。【００３２】
したがって、本実施形態の「側線」は、繊維５ｂ〜５ｆ及び金属素線３からなる（図１参照）。【００３３】
芯線５ａは、外径が７〜３０μｍの１本のフィラメントからなる。芯線５ａの材料は、繊維であれば特に限定されるものではないが、本実施形態では、外径２０μｍのポリアリレート（合成繊維）が使用されている。【００３４】
また、側線の繊維５ｂ〜５ｆも、夫々が外径７〜３０μｍの１本のフィラメントからなる。繊維５ｂ〜５ｆの材料は、繊維であれば特に限定されるものではないが、本実施形態では、外径２０μｍのポリアリレート（合成繊維）が使用されている。【００３５】
また、本実施形態の側線の金属素線３の外径は４０μｍであり、図１に示すように、側線の繊維５ｂ〜５ｆの外径よりも大きい。【００３６】
側線の金属素線３の材料は、タングステン等の金属であれば特に限定されるものではないが、本実施形態では、ステンレス鋼が使用されている。【００３７】
さらに、樹脂７の材料も、ウレタン等の柔らかい樹脂であれば特に限定されるものではないが、本実施形態では、アクリルウレタンが使用されている。【００３８】
本実施形態の釣糸１は、繊維からなる芯線５ａと、その芯線５ａの外周に巻回された１層の側線とを備え、側線は、繊維５ｂ〜５ｆと金属素線３とから構成されているので、釣糸の強度を極力維持したまま、釣糸の外径を細くし、釣糸の柔軟性を向上させることができる。【００３９】
また、本実施形態の釣糸１は、側線の金属素線３の外径が、側線の繊維５ｂ〜５ｆの外径よりも大きいので、釣糸１が石や岩等の硬い物質に擦れた場合にも、金属素線３がそれらの硬い物質に優先的に当接する為、釣糸の耐久性を向上させることもできる。【００４０】
また、本実施形態の釣糸１は、断面視において、金属素線３が一方に偏位しているので、釣糸自体を適度に湾曲させて、釣糸を魚に気付き難くさせることができる。【００４１】
さらに、本実施形態の釣糸１は、金属素線３を１本としたので、釣糸の強度を極力維持したまま、釣糸の径をさらに細くし、釣糸の柔軟性をさらに向上させることができる。【００４２】
＜第２実施形態＞
次に、第２実施形態の釣糸１０について説明する。図３は、本発明の第２実施形態の釣糸の断面図であり、図４は、第２実施形態の釣糸から樹脂を除去した状態の一部を示す斜視図である。【００４３】
図３及び図４では、理解を容易にするため、釣糸を模式的に図示しているため、寸法比は実際とは異なる。【００４４】
また、本実施形態では、第１実施形態と異なる箇所のみ説明し、第１実施形態と同一の箇所については説明を省略する。【００４５】
図３及び図４において、本実施形態の釣糸１０は、第１実施形態の釣糸１と比較して、釣糸の断面形状と金属素線とが異なる。すなわち、第１実施形態の釣糸１の断面形状は、一部が突出した円形状であったのに対し、本実施形態の釣糸１０の断面形状は、一部が凹んだ円形状である。また、第１実施形態の側線の金属素線３の外径が、側線の繊維５ｂ〜５ｆの外径よりも大きかったのに対し、本実施形態の側線の金属素線１３の外径は１０μｍであり、図３に示すように、側線の繊維５ｂ〜５ｆの外径よりも小さい。【００４６】
したがって、本実施形態の金属素線１３と繊維５ｂとの間及び金属素線１３と繊維５ｆとの間には、空隙が形成され、その空隙に樹脂１７が入り込んでいる。【００４７】
側線の金属素線１３の材料は、タングステン等の金属であれば特に限定されるものではないが、本実施形態では、ステンレス鋼が使用されている。【００４８】
また、本実施形態の樹脂１７は、第１実施形態の樹脂７と同一の材料である。すなわち、本実施形態の樹脂１７の材料は、ウレタン等の柔らかい樹脂であれば特に限定されるものではないが、本実施形態では、アクリルウレタンが使用されている。【００４９】
本実施形態の釣糸１０は、繊維からなる芯線５ａと、その芯線５ａの外周に巻回された１層の側線とを備え、側線は、繊維５ｂ〜５ｆと金属素線１３とから構成されているので、釣糸の強度を極力維持したまま、釣糸の外径を細くし、釣糸の柔軟性を向上させることができる。【００５０】
また、本実施形態の釣糸１０は、側線の金属素線１３の外径が、側線の繊維５ｂ〜５ｆの外径よりも小さいので、樹脂１７が繊維５ｂと金属素線１３との間及び繊維５ｆと金属素線１３との間に介在するようになり、繊維と金属素線１３との密着性を向上させることができる。【００５１】
また、本実施形態の釣糸１０は、断面視において、金属素線１３が一方に偏位しているので、釣自体を適度に湾曲させて、釣糸を魚に気付き難くさせることができる。【００５２】
さらに、本実施形態の釣糸１０は、金属素線１３を１本としたので、釣糸の強度を極力維持したまま、釣糸の径をさらに細くし、釣糸の柔軟性をさらに向上させることができる。【００５３】
＜第３実施形態＞
次に、第３実施形態の釣糸２０について説明する。図５は、本発明の第３実施形態の釣糸の断面図であり、図６は、第３実施形態の釣糸から樹脂を除去した状態の一部を示す斜視図である。【００５４】
図５及び図６では、理解を容易にするため、釣糸を模式的に図示しているため、寸法比は実際とは異なる。【００５５】
また、本実施形態では、第１実施形態と異なる箇所のみ説明し、第１実施形態と同一の箇所については説明を省略する。【００５６】
図５及び図６において、本実施形態の釣糸２０は、第１実施形態の釣糸１と比較して、釣糸の断面形状と金属素線とが異なる。すなわち、第１実施形態の釣糸１の断面形状は、一部が突出した円形状であったのに対し、本実施形態の釣糸２０の断面形状は円形状である。また、第１実施形態の側線の金属素線３の外径が、側線の繊維５ｂ〜５ｆの外径よりも大きかったのに対し、本実施形態の側線の金属素線２３の外径は１０μｍであり、、図５に示すように、側線の繊維５ｂ〜５ｆの外径よりも小さい。【００５７】
但し、金属素線２３は、第２実施形態の金属素線１３と異なり、繊維５ｆと当接しており、金属素線２３と繊維５ｂとの間にのみ空隙が形成され、その空隙に樹脂２７が入り込んでいる。【００５８】
側線の金属素線２３の材料は、タングステン等の金属であれば特に限定されるものではないが、本実施形態では、ステンレス鋼が使用されている。【００５９】
また、本実施形態の樹脂２７は、第１実施形態の樹脂７と同一の材料である。すなわち、本実施形態の樹脂２７の材料は、ウレタン等の柔らかい樹脂であれば特に限定されるものではないが、本実施形態では、アクリルウレタンが使用されている。【００６０】
本実施形態の釣糸２０は、繊維からなる芯線５ａと、その芯線５ａの外周に巻回された１層の側線とを備え、側線は、繊維５ｂ〜５ｆと金属素線２３とから構成されているので、釣糸の強度を極力維持したまま、釣糸の外径を細くし、釣糸の柔軟性を向上させることができる。【００６１】
また、本実施形態の釣糸２０は、側線の金属素線２３の外径が、側線の繊維５ｂ〜５ｆの外径よりも小さいので、樹脂２７が繊維５ｂと金属素線２３との間に介在するようになり、繊維５ｂと金属素線２３との密着性を向上させることができる。【００６２】
また、本実施形態の釣糸２０は、断面視円形であるので、釣糸を水中から引き上げたときの水切れの良好性を向上させることができる。【００６３】
また、本実施形態の釣糸２０は、断面視において、金属素線２３が一方に偏位しているので、釣自体を適度に湾曲させて、釣糸を魚に気付き難くさせることができる。【００６４】
さらに、本実施形態の釣糸２０は、金属素線２３を１本としたので、釣糸の強度を極力維持したまま、釣糸の径をさらに細くし、釣糸の柔軟性をさらに向上させることができる。【００６５】
＜第４実施形態＞
次に、第４実施形態の釣糸３０について説明する。図７は、本発明の第４実施形態の釣糸の断面図であり、図８は、第４実施形態の釣糸から樹脂を除去した状態の一部を示す斜視図である。【００６６】
図７及び図８では、理解を容易にするため、釣糸を模式的に図示しているため、寸法比は実際とは異なる。【００６７】
また、本実施形態では、第１実施形態と異なる箇所のみ説明し、第１実施形態と同一の箇所については説明を省略する。【００６８】
図７及び図８において、本実施形態の釣糸３０は、第１実施形態の釣糸１と比較して、釣糸の断面形状と金属素線とが異なる。すなわち、第１実施形態の釣糸１の断面形状は、一部が突出した円形状であったのに対し、本実施形態の釣糸３０の断面形状は円形状である。また、第１実施形態の側線の金属素線３の外径が、側線の繊維５ｂ〜５ｆの外径よりも大きかったのに対し、本実施形態の側線の金属素線３３の外径は２０μｍであり、図７に示すように、側線の繊維５ｂ〜５ｆの外径と略同一である。【００６９】
側線の金属素線３３の材料は、タングステン等の金属であれば特に限定されるものではないが、本実施形態では、ステンレス鋼が使用されている。【００７０】
また、本実施形態の樹脂３７は、第１実施形態の樹脂７と同一の材料である。すなわち、本実施形態の樹脂３７の材料は、ウレタン等の柔らかい樹脂であれば特に限定されるものではないが、本実施形態では、アクリルウレタンが使用されている。【００７１】
本実施形態の釣糸３０は、繊維からなる芯線５ａと、その芯線５ａの外周に巻回された１層の側線とを備え、側線は、繊維５ｂ〜５ｆと金属素線３３とから構成されているので、釣糸の強度を極力維持したまま、釣糸の外径を細くし、釣糸の柔軟性を向上させることができる。【００７２】
また、本実施形態の釣糸３０は、側線の金属素線３３の外径は、側線の繊維５ｂ〜５ｆの外径と略同一であるので、釣糸３０を水中から引き上げたときの水切れの良好性を向上させることができる。【００７３】
さらに、本実施形態の釣糸３０は、断面視円形であるので、釣糸を水中から引き上げたときの水切れの良好性をさらに向上させることができる。【００７４】
また、本実施形態の釣糸３０は、断面視において、金属素線３３が一方に偏位しているので、釣自体を適度に湾曲させて、釣糸を魚に気付き難くさせることができる。【００７５】
さらに、本実施形態の釣糸３０は、金属素線３３を１本としたので、釣糸の強度を極力維持したまま、釣糸の径をさらに細くし、釣糸の柔軟性をさらに向上させることができる。【００７６】
＜第５実施形態＞
次に、第５実施形態の釣糸４０について説明する。図９は、本発明の第５実施形態の釣糸の断面図であり、図１０は、第５実施形態の釣糸から樹脂を除去した状態の一部を示す斜視図である。【００７７】
図９及び図１０では、理解を容易にするため、釣糸を模式的に図示しているため、寸法比は実際とは異なる。【００７８】
また、本実施形態では、第４実施形態と異なる箇所のみ説明し、第４実施形態と同一の箇所については説明を省略する。【００７９】
図９及び図１０において、本実施形態の釣糸４０は、第４実施形態の釣糸３０と比較して、金属素線の本数が異なる。すなわち、第４実施形態の金属素線３３が１本であるのに対し、本実施形態の金属素線は、図９に示すように３本（４３ａ、４３ｂ及び４３ｃ）である。
なお、金属素線４３ａ、４３ｂ及び４３ｃの外径は２０μｍである。【００８０】
側線の金属素線４３ａ、４３ｂ及び４３ｃの材料は、タングステン等の金属であれば特に限定されるものではないが、本実施形態では、ステンレス鋼が使用されている。【００８１】
また、本実施形態の樹脂４７は、第４実施形態の樹脂３７と同一の材料である。すなわち、本実施形態の樹脂４７の材料は、ウレタン等の柔らかい樹脂であれば特に限定されるものではないが、本実施形態では、アクリルウレタンが使用されている。【００８２】
本実施形態の釣糸４０は、繊維からなる芯線５ａと、その芯線５ａの外周に巻回された１層の側線とを備え、側線は、繊維５ｃ、５ｅ及び４５ｇ（外径２０μｍのポリアリレート（合成繊維））と金属素線４３ａ、４３ｂ及び４３ｃとから構成されているので、釣糸の強度を極力維持したまま、釣糸の外径を細くし、釣糸の柔軟性を向上させることができる。【００８３】
また、本実施形態の釣糸４０は、側線の金属素線４３ａ、４３ｂ及び４３ｃの外径は、側線の繊維５ｃ、５ｅ及び４５ｇの外径と略同一であるので、釣糸４０を水中から引き上げたときの水切れの良好性を向上させることができる。【００８４】
さらに、本実施形態の釣糸４０は、断面視円形であるので、釣糸を水中から引き上げたときの水切れの良好性をさらに向上させることができる。【００８５】
また、本実施形態の釣糸４０は、側線の繊維５ｃ、５ｅ及び４５ｇと、側線の金属素線４３ａ、４３ｂ及び４３ｃとが断面全体に同一数交互に配置されているので、釣糸自体を極力真っ直ぐにして、釣糸を水中から引き上げたときの水切れの良好性をさらに向上させることができる。【００８６】
＜第６実施形態＞
次に、第６実施形態の釣糸５０について説明する。図１１は、本発明の第６実施形態の釣糸の断面図である。【００８７】
図１１では、理解を容易にするため、釣糸を模式的に図示しているため、寸法比は実際とは異なる。【００８８】
また、本実施形態では、第５実施形態と異なる箇所のみ説明し、第５実施形態と同一の箇所については説明を省略する。【００８９】
図１１において、本実施形態の釣糸５０は、第５実施形態の釣糸４０と比較して、金属素線の外径が異なる。すなわち、第５実施形態の側線の金属素線４３ａ、４３ｂ及び４３ｃの外径は、側線の繊維５ｃ、５ｅ及び４５ｇの外径と略同一であったのに対し、本実施形態の金属素線５３ａ、５３ｂ及び５３ｃの外径は１０μｍであり、図１１に示すように、側線の繊維５ｃ、５ｅ及び４５ｇの外径よりも小さい。【００９０】
側線の金属素線５３ａ、５３ｂ及び５３ｃの材料は、タングステン等の金属であれば特に限定されるものではないが、本実施形態では、ステンレス鋼が使用されている。【００９１】
また、本実施形態の樹脂５７は、第４実施形態の樹脂４７と同一の材料である。すなわち、本実施形態の樹脂５７の材料は、ウレタン等の柔らかい樹脂であれば特に限定されるものではないが、本実施形態では、アクリルウレタンが使用されている。【００９２】
本実施形態の釣糸５０は、繊維からなる芯線５ａと、その芯線５ａの外周に巻回された１層の側線とを備え、側線は、繊維５ｃ、５ｅ及び４５ｇと金属素線５３ａ、５３ｂ及び５３ｃとから構成されているので、釣糸の強度を極力維持したまま、釣糸の外径を細くし、釣糸の柔軟性を向上させることができる。【００９３】
また、本実施形態の釣糸５０は、側線の金属素線５３ａ、５３ｂ及び５３ｃの外径が、側線の繊維５ｃ、５ｅ及び４５ｇの外径よりも小さいので、樹脂５７が、繊維５ｃと金属素線５３ａ及び金属素線５３ｂとの間、繊維５ｅと金属素線５３ｂ及び金属素線５３ｃとの間、及び繊維４５ｇと金属素線５３ｃ及び金属素線５３ａとの間に介在するようになり、繊維と金属素線との密着性を向上させることができる。【００９４】
さらに、本実施形態の釣糸５０は、断面視円形であるので、釣糸を水中から引き上げたときの水切れの良好性をさらに向上させることができる。【００９５】
また、本実施形態の釣糸５０は、側線の繊維５ｃ、５ｅ及び４５ｇと、側線の金属素線５３ａ、５３ｂ及び５３ｃとが断面全体に同一数交互に配置されているので、釣糸自体を極力真っ直ぐにして、釣糸を水中から引き上げたときの水切れの良好性をさらに向上させることができる。【００９６】
＜第７実施形態＞
次に、第７実施形態の釣糸６０について説明する。図１２は、本発明の第７実施形態の釣糸の断面図である。【００９７】
図１２では、理解を容易にするため、釣糸を模式的に図示しているため、寸法比は実際とは異なる。【００９８】
また、本実施形態では、第６実施形態と異なる箇所のみ説明し、第６実施形態と同一の箇所については説明を省略する。【００９９】
図１２において、本実施形態の釣糸６０は、第５実施形態の釣糸５０と比較して、釣糸の断面形状が異なる。すなわち、第６実施形態の釣糸５０の断面形状が円形状であったのに対し、本実施形態の釣糸６０の断面形状は辺の一部が突出し、頂点が湾曲した三角形状である。【０１００】
本実施形態の樹脂６７は、第５実施形態の樹脂５７と同一の材料である。すなわち、本実施形態の樹脂６７の材料は、ウレタン等の柔らかい樹脂であれば特に限定されるものではないが、本実施形態では、アクリルウレタンが使用されている。【０１０１】
本実施形態の釣糸６０は、繊維からなる芯線５ａと、その芯線５ａの外周に巻回された１層の側線とを備え、側線は、繊維５ｃ、５ｅ及び４５ｇと金属素線５３ａ、５３ｂ及び５３ｃとから構成されているので、釣糸の強度を極力維持したまま、釣糸の外径を細くし、釣糸の柔軟性を向上させることができる。【０１０２】
また、本実施形態の釣糸５０は、側線の金属素線５３ａ、５３ｂ及び５３ｃの外径が、側線の繊維５ｃ、５ｅ及び４５ｇの外径よりも小さいので、樹脂６７が、繊維５ｃと金属素線５３ａ及び金属素線５３ｂとの間、繊維５ｅと金属素線５３ｂ及び金属素線５３ｃとの間、及び繊維４５ｇと金属素線５３ｃ及び金属素線５３ａとの間に介在するようになり、繊維と金属素線との密着性を向上させることができる。【０１０３】
また、本実施形態の釣糸６０は、側線の繊維５ｃ、５ｅ及び４５ｇと、側線の金属素線５３ａ、５３ｂ及び５３ｃとが断面全体に同一数交互に配置されているので、釣糸自体を極力真っ直ぐにして、釣糸を水中から引き上げたときの水切れの良好性をさらに向上させることができる。【０１０４】
＜第８実施形態＞
次に、第８実施形態の釣糸７０について説明する。図１３は、本発明の第８実施形態の釣糸の断面図である。【０１０５】
図１３では、理解を容易にするため、釣糸を模式的に図示しているため、寸法比は実際とは異なる。【０１０６】
また、本実施形態では、第７実施形態と異なる箇所のみ説明し、第７実施形態と同一の箇所については説明を省略する。【０１０７】
図１３において、本実施形態の釣糸７０は、第７実施形態の釣糸６０と比較して、金属素線の外径と釣糸の断面形状が異なる。すなわち、第７実施形態の側線の金属素線５３ａ、５３ｂ及び５３ｃの外径は、図１２に示すように、側線の繊維５ｃ、５ｅ及び４５ｇの外径よりも小さかったのに対し、本実施形態の側線の金属素線７３ａ、７３ｂ及び７３ｃの外径は４０μｍであり、側線の繊維５ｃ、５ｅ及び４５ｇの外径よりも大きい。また、第７実施形態の釣糸６０の断面形状は辺の一部が突出し、頂点が湾曲した三角形状であったのに対し、本実施形態の釣糸７０の断面形状は頂点が突出した三角形状である。【０１０８】
本実施形態の樹脂７７は、第７実施形態の樹脂６７と同一の材料である。すなわち、本実施形態の樹脂７７の材料は、ウレタン等の柔らかい樹脂であれば特に限定されるものではないが、本実施形態では、アクリルウレタンが使用されている。【０１０９】
本実施形態の釣糸７０は、繊維からなる芯線５ａと、その芯線５ａの外周に巻回された１層の側線とを備え、側線は、繊維５ｃ、５ｅ及び４５ｇと金属素線７３ａ、７３ｂ及び７３ｃとから構成されているので、釣糸の強度を極力維持したまま、釣糸の外径を細くし、釣糸の柔軟性を向上させることができる。【０１１０】
また、本実施形態の釣糸７０は、側線の金属素線７３ａ、７３ｂ及び７３ｃの外径が、側線の繊維５ｃ、５ｅ及び４５ｇの外径よりも大きいので、釣糸の耐久性を向上させることもできる。【０１１１】
また、本実施形態の釣糸７０は、側線の繊維５ｃ、５ｅ及び４５ｇと、側線の金属素線７３ａ、７３ｂ及び７３ｃとが断面全体に同一数交互に配置されているので、釣糸自体を極力真っ直ぐにして、釣糸を水中から引き上げたときの水切れの良好性をさらに向上させることができる。【０１１２】
以上の通り、本発明の実施形態について説明してきたが、本発明は、上述した実施形態に限定されるものではなく、本発明の技術思想の範囲内において、当業者による種々の変更が可能である。【０１１３】
例えば、上記実施形態の釣糸では、繊維からなる一本の芯線の周りに６本の素線を１層として撚った撚線を例にして説明してきたが、それに限られるものではなく、１本の繊維からなる芯線の周りにＮ本（Ｎは、２以上の自然数）の素線を１層として撚ったものであっても良い。【０１１４】
すなわち、１本の繊維からなる芯線に周りに、繊維からなる側線及び金属素線からなる側線を１層分巻回することが重要である。
【符号の説明】
【０１１５】
１、１０、２０、３０、４０、５０、６０、７０    釣糸
３、１３、２３、３３、４３ａ、４３ｂ、４３ｃ、５３ａ、５３ｂ、５３ｃ、７３ａ、７３ｂ、７３ｃ        側線（金属素線）
５ａ                                              芯線（繊維）
５ｂ、５ｃ、５ｄ、５ｅ、５ｆ、４５ｇ              側線（繊維）
７、１７、２７、３７、４７、５７，６７，７７      樹脂
【図１】
2018105107.tif 000003
【図２】
2018105107.tif 000004
【図３】
2018105107.tif 000005
【図４】
2018105107.tif 000006
【図５】
2018105107.tif 000007
【図６】
2018105107.tif 000008
【図７】
2018105107.tif 000009
【図８】
2018105107.tif 000010
【図９】
2018105107.tif 000011
【図１０】
2018105107.tif 000012
【図１１】
2018105107.tif 000013
【図１２】
2018105107.tif 000014
【図１３】
2018105107.tif 000015
【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
繊維からなる芯線と、
その芯線の外周に巻回された１層の側線と、
その側線の外周を被覆する樹脂と、
を備え、
前記側線は、繊維と金属素線とから構成され、
前記側線の前記金属素線の外径は、前記側線の前記繊維の外径よりも小さく、
前記樹脂は、断面視円形であることを特徴とする釣糸。
【請求項２】
前記側線の前記繊維は、前記金属素線の両側に少なくとも２本配置され、
前記金属素線は、その金属素線の両側に配置された前記繊維のうち、一方の繊維に当接し、他方の繊維に当接していないことを特徴とする請求項１に記載の釣糸。
【請求項３】
（削除）
【請求項４】
（削除）
【請求項５】
（削除）
【請求項６】
（削除）
【請求項７】
前記側線は、前記繊維と前記金属素線とが断面全体に同一数交互に配置されていることを特徴とする請求項１または請求項２に記載の釣糸。
【手続補正書】
【提出日】平成29年3月15日(2017.3.15)
【手続補正１】
【補正対象書類名】特許請求の範囲
【補正対象項目名】全文
【補正方法】変更
【補正の内容】
【特許請求の範囲】
【請求項１】
繊維からなる芯線と、
その芯線の外周に巻回された１層の側線と、
その側線の外周を被覆する樹脂と、
を備え、
前記側線は、繊維と金属素線とから構成され、
前記側線の前記金属素線の外径は、前記側線の前記繊維の外径よりも小さく、
前記樹脂は、断面視円形であることを特徴とする釣糸。
【請求項２】
前記側線の前記繊維は、前記金属素線の両側に少なくとも２本配置され、
前記金属素線は、その金属素線の両側に配置された前記繊維のうち、一方の繊維に当接し、他方の繊維に当接していないことを特徴とする請求項１に記載の釣糸。
【請求項３】
前記側線は、前記繊維と前記金属素線とが断面全体に同一数交互に配置されていることを特徴とする請求項１または請求項２に記載の釣糸。
【手続補正書】
【提出日】平成30年5月18日(2018.5.18)
【手続補正１】
【補正対象書類名】特許請求の範囲
【補正対象項目名】全文
【補正方法】変更
【補正の内容】
【特許請求の範囲】
【請求項１】
繊維からなる芯線と、
その芯線の外周に巻回された１層の側線と、
その側線の外周を被覆する樹脂と、
を備え、
前記側線は、繊維と金属素線とから構成され、
前記側線の前記金属素線の外径は、前記側線の前記繊維の外径よりも小さく、
前記側線の前記繊維は、前記金属素線の両側に少なくとも２本配置され、
前記金属素線は、その金属素線の両側に配置された前記繊維のいずれにも当接していないことを特徴とする釣糸。
【請求項２】
繊維からなる芯線と、
その芯線の外周に巻回された１層の側線と、
その側線の外周を被覆する樹脂と、
を備え、
前記側線は、繊維と金属素線とから構成され、
前記側線の前記金属素線の外径は、前記側線の前記繊維の外径よりも小さく、
前記側線の前記繊維は、前記金属素線の両側に少なくとも２本配置され、
前記金属素線は、その金属素線の両側に配置された前記繊維のうち、一方の繊維に当接し、他方の繊維に当接していないことを特徴とする釣糸。
【請求項３】
前記樹脂は、断面視円形であることを特徴とする請求項１又は請求項２に記載の釣糸。
【請求項４】
前記金属素線を１本としたことを特徴とする請求項１乃至請求項３の何れかに記載の釣糸。
【請求項５】
前記側線は、前記繊維と前記金属素線とが断面全体に同一数交互に配置されていることを特徴とする請求項１乃至請求項３の何れかに記載の釣糸。
【国際調査報告】
2018105107.tif 000016
2018105107.tif 000017
2018105107.tif 000018